(57)【要約】【課題】広くした風上側の風集に強風が当たると風集がこわれるのでこわされないようにするそして風集の中の風の抵抗を少なくする。【解決手段】風集の風上側を支点に風圧力に風集を押しているバネ又は反発手段が負けて風集の風下側及び風集の風方向軸に対して回転方向に開く事により風を逃がして風圧力を下げる事により風集及び支柱及び風車がこわされるのを防くそして風の抵抗を少なくするには風下側の風骨の風上側を薄くするか又は風下側の風骨の風上側に風反らしを設けて風を入溝に当てないで斜面を用いて出してしまう。【選択図】図１２
2010038152.tif 000002
【特許請求の範囲】
【請求項１】
風骨（１）と（１２）、（５）と（９）に囲まれた所を風囲枠とし、風上側の風骨（１）、（１２）を支柱（１６）に回転自由に結合しそして風下側にも外形某形の風囲枠の風骨（５）、（９）を風上の風囲枠よりも小さくした風囲枠を設けて中に風車を設け、風車は風車羽根（６）及び風車板（８）、（４９）が回転軸から放射状の逆に集まった集合体とし、風上側の風骨（１）、（１２）から風下側の風骨（５）、（９）までつなぎ骨（１９）で各各結合し、風上側の風骨（１）、（１２）に回転自由に風集（３）、（１０）を結合し、バネ（１８）又は重り（２５）により風下側の風骨に風集を接っしさせ、強風時風集（３）、（１０）、（５）、（９）（２２２）が曲がって風を逃がす事を特徴とした風曲風集風車。
【請求項２】
風上側の風骨（４４）、（５５）を支柱（５８）と離して風上側の風骨（４４）、（５５）に支骨（６７）を固着し支骨を回転軸に固着するか又は風下側の風骨（１２９）、（１３４）に風車（１３１）を点在させて固着するか少なくともどちらか１方が固着して風骨（５５）風集（４６）、（５３）が風車（４９）といっしょに回転する事を特徴とした請求項１記載の風曲風集風車。
【請求項３】
風集（１０２）、（１０３）、（１２４）、（１３５）の中に何個所かの開口部を設けて開口部に開閉可の小風集（１２３）、（１２７）、（１３６）、（８４）、（９４）、（８７）を設ける事を特徴とした請求項１、２、記載の風曲風集風車。
【請求項４】
支柱（１７０）を風車（１６８）、（１８０）の風下側に設ける事を特徴とした請求項１、２、３記載の風曲風集風車。
【請求項５】
遠心力で風集（３）、（１６５Ａ）、（６６）が開くのを調節する為風上側の風骨よりさらに風上側に支持（１６４）、（７１）を設けて重り（７０）、（１６０）を設ける事を特徴とした請求項１、２、３、４記載の風曲風集風車。
【請求項６】
遠心力で風集（３）、（４５）、（１６５Ａ）、（６６）が開くのを調節する為風下の風骨（１７７）、（１６７）に調節柱（１８７）を立てて調節柱（１８７）にてんびん歯車（１８６）を設けててんびん歯車の１方側に風集（１６６）に固着したひっかけレール（１９０）と噛み合わせ、てんびん歯車の他方側に重り（１８５）を固着したひっかけレール（１８９）と噛み合わせる事を特徴とした請求項１、２、３、４、記載の風曲風集風車。
【請求項７】
風下側の風骨（２１５）、（２２７）の風下側に風骨横支持（２１６）を固着して風骨縦支持（２３３）、（２２０）を介して回転軸（２２９）、又は発電機（２１８）に回転自由に結合した事を特徴とした請求項１、２、３、４、記載の風曲風集風車。
【請求項８】
風下側の風骨（２１５）、（２２７）の風下側の風骨横支持（２１６）を固着して風骨縦支持（２２０）を介して発電機（２１８）と噛合部を設けて風集（２３２）、（２２２）が機械的手段によりたまに半回転する事を特徴とした請求項１、２、３、４、７記載の風曲風集風車。
【請求項９】
風下側の風骨（２１５）、（２２７）の風下側の風骨横支持（２１６）を固着して風骨縦支持（２２０）を介して発電機（２１８）に固着した事を特徴とした請求項１、２、３、４記載の風曲風集風車。
【請求項１０】
風下側の風囲枠の間に風車（６）、（８）を設け、風車の風車羽根（６）、（７）が強風時曲がって風を逃がす事を特徴とした請求項１、２、３、４、５、６、７、８、９記載の風曲風集風車。
【請求項１１】
風車の風上側に車骨（２２）、（６２）を設けて車骨に風車板（８）、（４９）を風下側に向けて風車が進む方向と逆の側に曲げ、強風時風車板（８）、（４９）曲がって風を逃がす事を特徴とした請求項１、２、３、４、５、６  ７、８、９記載の風曲風集風車。
【請求項１２】
風下側の風骨（３１３）、（３１９を断面風上側を薄くし風下側を厚くした風骨（３１３）、（３１９）を設けて風の流れの抵抗を少なくした風反らし風骨（３１３）、（３１９）を設ける事を特徴とした請求項１、２、３、４、５、６、７、８、９  １０、１１、記載の風曲風集風車。
【請求項１３】
風下側の風骨（３１３）、（３１９）、（３６３）、（３７２）、（４２４）の風上側に風反らし（３１１）、（３２１）、（３６２）、（３７３）（４１５）を設けて風集（３１２）、（３２０）、（３６１）、（３７４）（４１７）と風骨（３１３）、（３１９）、（３６３）、（３７２）、（４２４）の間に風が入る流れを反らせる事を特徴とした請求項１、２、３、４、５、６、７、８、９、１０  １１、１２記載の風曲風集風車。
【発明の詳細な説明】
【技術分野】
【０００１】風を朝顔のような風集で集めて奥側に抜け道を設けて風車を設け、強風時風集の風下側が曲がって風を逃がす事により風集が風でこわれないようにする事に関するものである。
【背景技術】
【０００２】特願２００６−１３４４９４及び特願２００７−７５５５８等及び平成２０年７月１０日提出の整理番号Ｙ０００００Ｋ４−４がある。
【発明の開示】
【発明が解決しようとする課題】
【０００３】支柱を建ててそれに朝顔のような風集を設けるが
強風時風集がこわれるそして風車もこわれるので双方共こわれないようにする。
【課題を解決するための手段】
【０００４】風上側の風骨１、１２に風集３、１０を回転自由に結合させ、風骨１２、５５を挟んで風集１０、５３の反対側に設けた重り２５又はバネにより、風下側の風骨５、９に風集３、１０が当たるまで押し、風集に風が強く当たると風集の風下側が曲がって風を逃がし、風上側の風囲枠よりも風下側の風囲枠を小さくする。風上側の風骨と風下側の風骨をつなぎ骨１９、２４、６５、６６でつなぐ【０００５】風車の回転芯からいくらか先端に移った所に風車羽根と風車羽根をつなぐピン接合を設けバネにより風車羽根を回転軸と直角で止で止まるまで押し、強風に吹かれると風車羽根が風下側に曲がって風を逃がす風が弱くなるとバネにより戻る。【０００６】風車の風上側に車骨２２、６２を設け、車骨は回転軸１５、４１に固着し、車骨に回転自由にリング２１、６４を巻きリングに風車板８、４９を固着し風車板を風下側で風車が回転する反対の方向に曲げて止め２０で止まるまでバネで押す。
支柱１０１にリング８０、１０３を回転自由に結合してリング８０、１０３に風上側の風骨８１、９７又は風上側の風集１０２、１０３を固着し又は発電機１４２からの回転軸１４３に支骨１４０を設けて支骨に風上側の風骨１２０、１３９又は風上側の風集１２４、１３５を固着し、風上側及び風下側に必要により風骨８１、９７、８８、９２、１２０、１２９、１３９、１３４を設けた時は風骨に風集を固着する。風上側の風集を大きくし風下側の風集を小さくし風集１０２、１０３、１２４、１３５に開口部を設けて各各の開口部の風上側に小風集が半回転自由に結合部を設けて風集と結合しバネにより小風集の風下側を風集に外側から閉じさせておく。風下側の風骨２１５、２２７、の風下側に風骨横支持２１６を固着しそれに風骨縦支持２３３を固着して回転軸２２９に回転自由に結合させ又は風骨横支持２１６に風骨縦支持２２０を結合させて発電機２１８に回転自由に結合又は風骨縦支持２２０に内向又は横向に固着させた歯車に発電機に設けた歯車と噛み合わせタイマー等でスイッチを入たり切ったりしてモータにより風集を約半回転させる又風骨縦支持２２０と発電機２１８を固着させる事もある。風集２２２、２２２Ａ又は小風集の曲軸が風が吹く方向と平行の時もある。
【発明の効果】
【０００７】強風時風集を押していたバネが強風に負けて風集又は小風集が曲がって風を逃がす事により風集に大きな風圧がかからないので風集がこわれない。強風の時風車羽根を押していたバネが強風に負けて風車羽根が風下側に曲がって風を逃がすので風車がこわれないそして強風時風車板を押していたバネが強風に負けて風車板がさらに風下側に曲がる事により風を逃がすので風車がこわれない、支柱も経済的に立てられる。
【発明を実施する為の最良の形態】
【０００８】支柱１６を立て支柱に回転自由にリングを２個所巻きリングに風上側の風骨１、１２を固着し、風上側の風囲枠の外形は多角形又円形又はだ円形ですけど８角形位が最良で風下側にも多角形又は円形の風囲枠を風上側の風囲枠より小さくして設け風下側の風囲枠も８角形が最良で風下側の風囲枠の中に風車を設ける。風上側の風骨にリングを回転自由に巻きリングに風集３、１０を固着し風集が風下側の風骨に当たってまだ余力があるまでバネで風集を押す、下側の風集に結合するリング１３に風上側の方に間を設けて重り２５を連結する事もある。
【０００９】風車の回転芯から１０ｃｍ〜３０ｃｍ位い離れた所にピン接合部を設けて風車羽根を結合させ回転軸と風車羽根が直角の所に双方に止めを設けてそれ以上曲がらないようにしてバネにより風車羽根を風上側に押す。
【実施例】
【００１０】風集３、１０、４６、５３につなぎ骨を収納する溝を設ける。風集も回転する所の風車の風骨を略等間隔の３個所と風下側の風骨４８と固着しこの所の風車は回転軸４１に車骨６２を固着して車骨６２にリング６４を巻きリング６４に風車板４９を固着して風車板４９風下側で風車が回転する方向と逆の方に曲げて風上側の方に風車板をバネにより押して止めに当たって力が余る程押す。風集及び風車は風速が２０ｍ位で曲がるようにバネの反発力の強さとする。
風車羽根は強風により風車羽根の長手方向が風下側に折れる事を特徴とし風車板は強風により風車板の中である短手方向の１方が風下側にねじれる事である。【００１１】風上側の風骨１６３にリング１６２を巻いてリング１６２に風集１６６を固着しリングに風上側に支持１６４、７１を固着して風上側に重り１６０、７０を設けるか又は風下側の風骨１６７に調整柱１８７を固着して調整柱１８７の中程にてんびん歯車１８６を設け風集又は小風集１７１に設けたひっかけレール１９０をてんびん歯車１８６の１方側に噛み合わせ、重り１８５を固着したひっかけレール１８９をてんびん歯車の他方側に噛み合せる。ひっかけレール１８９と調整柱１８７はひっかけ合ってスライド可とする。【００１２】風集に当たる風圧力にバネの反発力が負けて風集１６０又は小風集１７１が曲って風を逃す風集と風集羽根の根元当りにピン接合１７９を設けて風車羽根１６８を接合する。ピン接合部にバネ１９１を設けて風車羽根を直にするよう押し他の所は回転軸１７８に車骨１８１を固着し車骨にリング１８３を巻いてリング１８３に風車板１８０を固着してバネ１８２により風車板の回転が止めにより止まるまで余力をもって押す、風車と前記風集が結合して風車の風下側に発電機１６９を設ける事もある。【００１３】風反らし風骨３１３、３１９は断面風上側を薄くし風下側を厚くするが風反らし風骨３１３、３１９の断面風上側を鋭角部とし風集に接っしさせた場合は風反らしが必要としない事もある。風反らし風骨と風上側の風骨をつなぐつなぎ骨３１１、３２２は風上側は断面任意の形で良いが風反らし風骨との取り合い部は四角が良い、風下側の風骨が風反らし風骨でない時は風骨に離して風骨より風上側の位置の風集に風反らしを固着する。風上側の風骨と風下側の風骨及び風反らし風骨をつなぎ骨で連結する時風反らしを削って通路を設けて通路の中に風骨つなぎを風反らしに接っしないで設ける。
【産業上の利用分野】
【００１４】風力発電に利用する事が出来る。
【図面の簡単な説明】
【００１５】
【図１】風曲風集風車の断面図。
【図２】Ａ−Ａ断面図。
【図３】風曲風集風車の断面図。
【図４】Ｂ−Ｂ断面図。
【図５】風曲風集風車の断面図。
【図６】風曲風集風車の断面図。
【図７】風曲風集風車の断面図。
【図８】Ｃ−Ｃ断面図。
【図９】風曲風集風車の断面図。
【図１０】Ｄ−Ｄ断面図。
【図１１】風反らし風骨を含んだ全体図
【図１２】Ｅ−Ｅ断面図
【図１３】風反らしを含んだ全体図
【図１４】Ｆ−Ｆ断面図
【図１５】風反らしを含んだ全体図
【図１６】Ｇ−Ｇ断面図
【符号の説明】
【００１６】風骨  １、５、９、１２、４４、４８、５５、５２、８１、８８、９７、１０３、１２０、１２９、１３９、１３４、１６３、１７２、１６７、１７７、２１０、２３４、２１５、２２７
バネ  １７、１８、２３、６４、１０４、１０５、１４４、１４５、１４６、１６１、１７５、１８２、１９１、２１１、２２３
リング  ２、１３、２１、６４、８２、９５、８０、９８、１３２、１６２、１７４、１８３、２１２、２２５
風集  ３、１０、４６、５３、（４）、（１１）、（４５）、（５４）１０２、１２４、１６６、１６６Ａ、２３２、２１４、２２２、２２２Ａ
つなぎ骨  １９、２４、６５、６６、１６５、２１３
風車羽根  ６、７、５１、１３０、９０、１６８、２１７、２１７Ａ
回転軸  １５、４１、９１、１４３、１７８、２２９
発電機  １４、４０、１４２、１００、１６９、２１８
重り  ２５、６８、７０、１６０、１８５
止め  ２０
支柱  １６、５８、１４１、１０１、１７０、２１９
支骨  ６７、１４０
車骨  ２２、６２、１８１
風車板  ８、（８Ａ）、（４９）、６１、１８０、（１８０Ａ）、２２８
小風集  ８４、８７、９４、１２３、１２７、１３６、１７１
ピン接合  ２６、７１、１０６、１７９、２３０
曲軸  ２２４
風骨横支持  ２１６
風骨縦支持  ２２０、２３３
軸受  ２２１
支柱  ３００、３５０、４００
風骨支持  ３０１、３０５、３５１、３１５
発電機支持  ３０２、３０４、３５２、３５４
発電機  ３０３、３５３、４２７
風骨うで  ３０６、３２６、３５６、３７６、
風骨  ３０７、３２５、３５７、３７８、４１８、４０４、４２４
風集支持  ３０９、３２４、３５８、３７７、４２１
バネ  ３０８、３２３、３５９、３７６、４１９
つなぎ骨  ３１０、３２２、３６０、３７５、４０５、４１６
風反らし  ３１１、３２１、３７３、３６２、４１５
風反らし風骨  ３１３、３１９
風集  ３１２、３２０、３６１、３７４、４１７、４０３
風車  ３１４、３１８、３６４、３７１、４１４、４０７
結合軸  ３１５、３１７、４１２、４１０
戻しバネ  ３１５Ａ、３１７Ａ、３６７Ａ、３６９Ａ
移動後の風反らし  ３１１Ａ、３２１Ａ、３６２Ａ、３７３Ａ、４１５Ａ
移動後の風集  ３２０Ａ、３１２Ａ、３７４Ａ、３６１Ａ、４１７Ａ
移動後の風車  ３６４Ａ、３７１Ａ、４０８Ａ、４１３、
風骨支持先上  ４２５
風骨支持元上  ４２６
風骨支持先下  ４０１
風骨支持元下  ４０９
回転軸  ３１６、３６８、４１１
【図１】
2010038152.tif 000003
【図２】
2010038152.tif 000004
【図３】
2010038152.tif 000005
【図４】
2010038152.tif 000006
【図５】
2010038152.tif 000007
【図６】
2010038152.tif 000008
【図７】
2010038152.tif 000009
【図８】
2010038152.tif 000010
【図９】
2010038152.tif 000011
【図１０】
2010038152.tif 000012
【図１１】
2010038152.tif 000013
【図１２】
2010038152.tif 000014
【図１３】
2010038152.tif 000015
【図１４】
2010038152.tif 000016
【図１５】
2010038152.tif 000017
【図１６】
2010038152.tif 000018
【手続補正書】
【提出日】平成20年10月31日(2008.10.31)
【手続補正１】
【補正対象書類名】明細書
【補正の内容】
2010038152.tif 000019
2010038152.tif 000020
2010038152.tif 000021
2010038152.tif 000022
2010038152.tif 000023
2010038152.tif 000024
2010038152.tif 000025
2010038152.tif 000026
2010038152.tif 000027
2010038152.tif 000028
2010038152.tif 000029
2010038152.tif 000030
2010038152.tif 000031
2010038152.tif 000032
2010038152.tif 000033
2010038152.tif 000034
2010038152.tif 000035
2010038152.tif 000036
2010038152.tif 000037
【手続補正書】
【提出日】平成20年12月24日(2008.12.24)
【手続補正１】
【補正対象書類名】特許請求の範囲
【補正対象項目名】請求項１
【補正方法】変更
【補正の内容】
【請求項１】
風骨（１）と（１２）、（５）と（９）に囲まれた所を風囲枠とし、風上側の風骨（１）、（１２）を支柱（１６）に回転自由に結合しそして風下側にも外形某形の風囲枠の風骨（５）、（９）を風上の風囲枠よりも小さくした風囲枠を設けて中に風車を設け、風車は風車羽根（６）及び風車板（８）、（４９）が回転軸から放射状の逆に集まった集合体とし、風上側の風骨（１）、（１２）から風下側の風骨（５）、（９）までつなぎ骨（１９）で各各結合し、風上側の風骨（１）、（１２）に回転自由に風集（３）、（１０）を結合し、バネ（１８）又は重り（２５）又は他の反発手段により風下側の風骨に風集を接っしさせ強風時風集（３）、（１０）、（５）、（９）、（２２２）が曲がって風を逃がす事を特徴とした風曲風集風車。
【手続補正２】
【補正対象書類名】明細書
【補正対象項目名】０００４
【補正方法】変更
【補正の内容】
【０００４】風上側の風骨１、１２に風集３、１０を回転自由に結合させ風骨１２、５５、を挟んで風集１０、５３の反対側に設けた重り２５又はバネ又はゴム又はシリンダーとピストン又は円状枠内に設けた回転板又は風下側の風集に着脱可能なっかけ手段又は磁石又はマジックテープを設け風集が開く事によりスイツチが入るか弁が開き電動又は流体を又はその組合せの手段により強風で開いた風下側の風集を元に戻す事により風下側の風骨５、９に風集３、１０が当たるまで押し、風集に風が強く当たると風集の風下側が曲がって風を逃がし風上側の風囲枠よりも風下側の風囲枠を小さくする。風上風集風骨と風下側の風骨をつなぎ骨１９、２４、６５、６６でつなぐ。反発手段と着脱手段を風集に設ける事もある。
【手続補正３】
【補正対象書類名】明細書
【補正対象項目名】０００５
【補正方法】変更
【補正の内容】
【０００５】風車の回転芯からいくらか先端に移った所に風車羽根と風車羽根をつなぐピン接合を設けバネ又は上記反発手段により風車羽根を回転軸と直角で止で止まるまで押し、強風に吹かれると風車羽根が風下側に曲がって風を逃がす風が弱くなるとバネ又は上記反発手段等により戻る。
【手続補正４】
【補正対象書類名】明細書
【補正対象項目名】０００６
【補正方法】変更
【補正の内容】
【０００６】風車の風上側に車骨２２、６２を設け、車骨は回転軸１５、４１に固着し、車骨に回転自由にリング２１、６４を巻きリングに風車板８、４９を固着し風車板を風下側で風車が回転する反対の方向に曲げて止め２０、で止まるまでバネ又は上記反発手段で押す支柱１０１にリング８０、１０３を回転自由に結合してリング８０、１０３に風上側の風骨８１、９７又は風上側の風集１０２、１０３を固着し又は発電機１４２からの回転軸１４３に支骨１４０を設けて支骨に風上側の風骨１２０、１３９又は風上側の風集１２４、１３５を固着し、風上側及び風下側に必要により風骨８１、９７、８８、９２、１２０、１２９、１３９、１３４を設けた時は風骨に風集を固着する。風上側の風集を大きくし風下側の風集を小さくし、風集１０２、１０３、１２４、１３５に開口部を設けて各各の開口部の風上側に小風集が半回転自由に結合部を設けて風集と結合しバネ又は上記反発手段により風集の風下側を風集に外側から閉じさせておく。風下側の風骨２１５、２２７、の風下側に風骨横支持２１６を固着しそれに風骨縦支持２３３を固着して回転軸２２９に回転自由に結合させ又は風骨横支持２１６に風骨縦支持２２０を結合させて発電機２１８に回転自由に結合又は風骨縦支持２２０に内向又は横向に固着させた歯車に発電機に設けた歯車と噛み合わせタイマー等でスイツチを入たり切ったりしてモータにより風集を約半回転させる又風骨縦支持２２０と発電機２１８を固着させる事もある。風集２２２、２２２Ａ又は小風集の曲軸が風が吹く方向と平行の時もある。
【手続補正５】
【補正対象書類名】明細書
【補正対象項目名】０００７
【補正方法】変更
【補正の内容】
【０００７】強風時風集を押していたバネ又は上記反発手段が強風に負けて風集又は小風集が曲がって風を逃がす事により風集に大きな風圧がかからないので風集がこわれない。強風の時風車羽根を押していたバネ又は上記反発手段が強風に負けて風車羽根が風下側に曲がって風を逃がすので風車がこわれないそして強風時風車板を押していたバネが強風に負けて風車板がさらに風下側に曲がる事により風を逃がすので風車がこわれない、支柱も経済的に立てられる。
【手続補正６】
【補正対象書類名】明細書
【補正対象項目名】００１０
【補正方法】変更
【補正の内容】
【００１０】風集３、１０、４６、５３につなぎ骨を収納する溝を設ける。風集も回転する所の風車の風骨を略等間隔の３個所と風下側の風骨４８と固着しこの所の風車は回転軸４１に車骨６２を固着して車骨６２にリング６４を巻きリング６４に風車板４９を固着して風車板４９風下側で風車が回転する方向と逆の方に曲げて風上側の方に風車板をバネ又は上記反発手段により押して止めに当たって力が余る程押す。風集及び風車は風速が２０ｍ位で曲がるようにバネの反発力の強さとする。
風車羽根は強風により風車羽根の長手方向が風下側に折れる事を特徴とし風車板は強風により風車板の中である短手方向の１方が風下側にねじれる事である。
【手続補正７】
【補正対象書類名】明細書
【補正対象項目名】００１２
【補正方法】変更
【補正の内容】
【００１２】風集に当たる風圧力にバネ又は上記反発手段の力が負けて風集１６０又は小風集１７１が曲って風を逃す風集と風集羽根の根元当りにピン接合１７９を設けて風車羽根１６８を接合する。ピン接合部にバネ１９１又は上記反発手段を設けて風車羽根を直にするよう押し他の所は回転軸１７８に車骨１８１を固着し車骨にリング１８３を巻いてリング１８３に風車板１８０を固着してバネ１８２又は上記反発手段により風車板の回転が止めにより止まるまで余力をもって押す、風車と前記風集が結合して風車の風下側に発電機１６９を設ける事もある。